(57)【要約】【課題】作業性や取り扱い性がよく、しかも、コストアップを避けることができる両面隠蔽ラベルを提供する。【解決手段】両面隠蔽ラベル１０は、はがき２０の両面を隠蔽するためのラベルであって、シート状基材１１と、ラベル部１２と、擬似接着層１６と、折りミシン目１７などとを備え、シート状基材１１は、連量が５５ｋｇ／四六の上質紙であり、ラベル部１２は、透明紙１３，粘着剤１４及び剥離紙１５が順に積層されたものであり、剥離紙１５は、左側の剥離紙１５Ｌと右側の剥離紙１５Ｒとに分かれ、擬似接着層１６は、シート状基材１１と透明紙１３とを擬似接着するものであり、折りミシン目１７は、この両面隠蔽ラベル１０の中央付近に設けられ、両面隠蔽ラベル１０を２つ折りするためのカット線であるとともに、両面隠蔽ラベル１０を２つに分割するためのカット線である。【選択図】図１
2006205608.tif 000002
【特許請求の範囲】
【請求項１】
所定の情報体の両面を隠蔽するための両面隠蔽ラベルであって、
シート状基材と、
透明性基材，粘着剤層及び剥離基材が順に積層された積層部と、
前記シート状基材と前記透明性基材とを擬似接着する擬似接着層と、
この両面隠蔽ラベルを折り畳むための折り予定線とを備え、
前記剥離基材を剥離して前記粘着剤層を表出させ、その粘着剤層が前記所定の情報体の両面に粘着するように、前記折り予定線で折り畳んだこの両面隠蔽ラベルで前記所定の情報体を挟み込んで、前記所定の情報体の両面を隠蔽すること、
を特徴とする両面隠蔽ラベル。
【請求項２】
請求項１に記載の両面隠蔽ラベルにおいて、
前記剥離基材は、複数の基材に分かれており、それぞれ別々に剥離可能であること、
を特徴とする両面隠蔽ラベル。
【請求項３】
請求項１又は請求項２に記載の両面隠蔽ラベルにおいて、
前記折り予定線は、この両面隠蔽ラベルを分割するための分割予定線であること、
を特徴とする両面隠蔽ラベル。
【請求項４】
請求項１から請求項３までのいずれか１項に記載の両面隠蔽ラベルにおいて、
前記所定の情報体は、前記シート状基材に連接されていること、
を特徴とする両面隠蔽ラベル。
【発明の詳細な説明】
【技術分野】
【０００１】
本発明は、はがきの記入欄などを保護するのに好適な両面隠蔽ラベルに関するものである。
【背景技術】
【０００２】
従来、「はがき」は、そのサイズが最大で１０．７ｃｍ×１５．４ｃｍと定められており、記入内容が多いと書ききれないため、このようなときには、「封書」が利用されている。
しかし、はがき（第２種郵便物）と封書（第１種郵便物）とでは、郵券代が５０円、８０円と差があるため、少量であればよいが、数多く利用する場合には、大きな差となってしまう。
そこで、はがきの表と裏の両面に記入する方法もあるが、最近は、記入内容を隠蔽したい、というニーズもある。この理由は、パソコンなどの普及に伴い、個人情報の収集が容易となったため、個人情報保護が社会的要請となっているためである。
【０００３】
さて、このとき、両面に記入されたはがきの場合は、隠蔽ラベルを表裏に２枚貼り込むことになる（例えば、特許文献１）。
はがき１通に対して、隠蔽ラベルを２枚（１枚／面）貼ること自体は、郵便規則の点からは問題なく、１通あたりの重量が２ｇ以上６ｇ未満であることが守られていればよい（現時点の郵便規則）。
【０００４】
しかし、現在では、はがきに対して２枚の隠蔽ラベルを添付する運用そのものが、敬遠される傾向にある。この理由は、例えば、請求書などの封書に隠蔽ラベルを同封する場合、設備の都合上、封入物の枚数に制限があるので、はがきと隠蔽ラベルだけで３枚分も使用してしまうことは避けたい、という点にある。
【０００５】
また、手渡しする場合であっても、３枚をセットにして渡さなければならず、煩雑な作業が強いられる。
しかも、３枚をセットにする作業を加えればコストアップになり、特に、従来の隠蔽ラベル付きはがきのような構成で、表裏それぞれに隠蔽ラベルを添付しようとすると、専用設備があれば問題ないものの、通常は、作業性が悪いことからその歩留まりも悪く、結局は、納期もコストも余計にかかるだけ、という状況であった。
【特許文献１】特開２００１−００５３９１号公報
【発明の開示】
【発明が解決しようとする課題】
【０００６】
本発明の課題は、作業性や取り扱い性がよく、しかも、コストアップを避けることができる両面隠蔽ラベルを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、所定の情報体（２０）の両面を隠蔽するための両面隠蔽ラベルであって、シート状基材（１１）と、透明性基材（１３），粘着剤層（１４）及び剥離基材（１５）が順に積層された積層部（１２）と、前記シート状基材（１１）と前記透明性基材（１３）とを擬似接着する擬似接着層（１６）と、この両面隠蔽ラベルを折り畳むための折り予定線（１７）とを備え、前記剥離基材（１５）を剥離して前記粘着剤層（１４）を表出させ、その粘着剤層（１４）が前記所定の情報体（２０）の両面に粘着するように、前記折り予定線（１７）で折り畳んだこの両面隠蔽ラベルで前記所定の情報体（２０）を挟み込んで、前記所定の情報体（２０）の両面を隠蔽すること、を特徴とする両面隠蔽ラベルである。
請求項２の発明は、請求項１に記載の両面隠蔽ラベルにおいて、前記剥離基材（１５）は、複数の基材（１５Ｌ，１５Ｒ）に分かれており、それぞれ別々に剥離可能であること、を特徴とする両面隠蔽ラベルである。
請求項３の発明は、請求項１又は請求項２に記載の両面隠蔽ラベルにおいて、前記折り予定線（１７）は、この両面隠蔽ラベルを分割するための分割予定線であること、を特徴とする両面隠蔽ラベルである。
請求項４の発明は、請求項１から請求項３までのいずれか１項に記載の両面隠蔽ラベルにおいて、前記所定の情報体（２０）は、前記シート状基材（１１）に連接されていること、を特徴とする両面隠蔽ラベルである。
【発明の効果】
【０００８】
本発明によれば、１つの両面隠蔽ラベルで、所定の情報体の両面を隠蔽することができるので、作業性や取り扱い性がよく、また、従来、表裏用に２つ必要であった隠蔽ラベルを１つに削減することができ、コストダウンも図れる。
【発明を実施するための最良の形態】
【０００９】
本発明は、作業性や取り扱い性がよく、しかも、コストアップを避けることができる両面隠蔽ラベルを提供するという目的を、シート状基材に、透明紙／粘着剤／剥離紙からなるラベル部の透明紙を擬似接着することにより実現する。
【実施例１】
【００１０】
以下、図面等を参照して、本発明の実施例について、さらに詳しく説明する。
図１は、本発明による両面隠蔽ラベルの実施例１を示す図である。
実施例１の両面隠蔽ラベル１０は、はがき（所定の情報体）２０の両面を隠蔽するためのラベルであって、シート状基材１１と、ラベル部（積層部）１２と、擬似接着層１６と、折りミシン目（折り予定線，分割予定線）１７などとを備える。
【００１１】
シート状基材１１は、連量が５５ｋｇ／四六の上質紙である。
ラベル部１２は、透明紙（透明性基材）１３，粘着剤（粘着剤層）１４及び剥離紙（剥離基材）１５が順に積層されたものであり、剥離紙１５は、左側の剥離紙１５Ｌと右側の剥離紙１５Ｒとに分かれており、それぞれ別々に剥離できる。
【００１２】
擬似接着層１６は、シート状基材１１と透明紙１３とを擬似接着するものであり、例えば、熱可塑性樹脂を用いたものや、感圧接着剤を用いたもの、接着剤層／剥離層の層構成を用いたものなどを利用することができる。
【００１３】
折りミシン目１７は、この両面隠蔽ラベル１０の中央付近に設けられ、両面隠蔽ラベル１０を２つ折りするためのカット線であるとともに、両面隠蔽ラベル１０を２つに分割するためのカット線である。
【００１４】
はがき２０は、アンケート用のはがきであって、連量が１１０ｋｇ／四六の上質紙であり、アンケートに対する回答を記入するための記入欄２１を両面に備える。
【００１５】
次に、実施例１による両面隠蔽ラベル１０の使用方法について説明する。
まず、はがき２０の記入欄２１にアンケートの回答を記入する。
ついで、図１（＃１）に示すように、左側の剥離紙１５Ｌを剥離して、その下層の粘着剤１４を表出させる。
さらに、図１（＃２）に示すように、表出させた粘着剤１４に、はがき２０の裏面が粘着するように、はがき２０を貼り込む。
このとき、折りミシン目１７に、はがき２０のエッジ部分（端）を接触させるようにすると、位置合わせが行いやすい。
【００１６】
続いて、図１（＃３）に示すように、右側の剥離紙１５Ｒを剥離して、その下層の粘着剤１４を表出させる。
そして、図１（＃４）に示すように、はがき２０の表面に、表出させた粘着剤１４が粘着するように、折りミシン目１７を用いて両面隠蔽ラベル１０を２つ折りし、両面隠蔽ラベル１０ではがき２０を挟み込んで、はがき２０の両面を隠蔽する。
【００１７】
最後に、そのままポストへ投函する。
受取側で開封すると、シート状基材１１とともに擬似接着層１６が剥離し、透明紙１３で覆われた記入欄２１が確認できる。
【００１８】
このように、実施例１によれば、以下のような効果がある。
（１）はがき２０は、郵便規則により、連量が１１０ｋｇ／四六以上のものが望ましいが、両面隠蔽ラベル１０は、シート状基材１１を薄くすることができ（本実施例では、連量：５５ｋｇ／四六）、コストダウンが図れる。
（２）本来であれば、１枚のはがき２０と表裏用の２枚の隠蔽ラベルとの合計３枚が必要になるが、表裏連続で隠蔽できる両面隠蔽ラベル１０としたため、合計数を１枚削減できる。
【００１９】
（３）左側の剥離紙１５Ｌと右側の剥離紙１５Ｒとは、それぞれ別々に剥離できるので、必要に応じた場面で剥離でき、隠蔽作業中の不用意なべたつきがない。
（４）折りミシン目１７で、両面隠蔽ラベル１０を２つに分割すれば、片面のみの隠蔽にも使用できるので、他用途に転用可能であり、使い勝手がよい。
【実施例２】
【００２０】
図２は、本発明による両面隠蔽ラベルの実施例２を示す図である。
なお、前述した実施例１と同様な機能を果たす部分には、同一の符号又は末尾に統一した符号を付して、重複する説明や図面を適宜省略する。
実施例２の両面隠蔽ラベル１０Ａは、はがき２０が、折りミシン目１７を介して、シート状基材１１の左辺に連接されているものであり、また、はがき２０及びシート状基材１１は、連量が７０ｋｇ／四六の上質紙である。
【００２１】
そして、この両面隠蔽ラベル１０Ａを使用するときは、基本的には実施例１のやり方と同様であるが、はがき２０がシート状基材１１に連接されているので、実施例１のように、はがき２０を重ね合わせて貼り込むのではなく、図２（＃２）に示すように、内側に折り畳んで貼り込む。
【００２２】
このように、実施例２によれば、はがき２０と両面隠蔽ラベル１０Ａとを一体化したので、それぞれがばらけず、ハンドリング（取り扱い）が容易である。
また、実施例２の両面隠蔽ラベル１０Ａは、はがき２０を内側に折り畳むタイプであるので、隠蔽するときに、はがき２０がずれない。
【００２３】
さらに、はがき２０は、郵便規則により、連量が１１０ｋｇ／四六以上のものが望ましいが、両面隠蔽ラベル１０Ａの透明紙１３などがはがき２０側に残存することを活用して、この重量をはがき２０の重量に組み込むことで、はがき２０及びシート状基材１１の連量を７０ｋｇ／四六にすることができ、さらなるコストダウンが図れる。
【００２４】
（変形例）
以上説明した実施例に限定されることなく、種々の変形や変更が可能であって、それらも本発明の均等の範囲内である。
例えば、ラベル部１２には、透明紙，粘着剤及び剥離紙が順に積層されたタック紙を用いるようにして、製造コストを抑えてもよい。
また、所定の情報体は、アンケート用のはがき２０の例で説明したが、申込書用のはがきなどであってもよく、また、隠蔽すべき秘匿情報を有するものであれば、その種類は問わない。
【図面の簡単な説明】
【００２５】
【図１】本発明による両面隠蔽ラベルの実施例１を示す図である。
【図２】本発明による両面隠蔽ラベルの実施例２を示す図である。
【符号の説明】
【００２６】
１０、１０Ａ  両面隠蔽ラベル
１１  シート状基材
１２  ラベル部（積層部）
１３  透明紙（透明性基材）
１４  粘着剤（粘着剤層）
１５  剥離紙（剥離基材）
１５Ｌ  左側の剥離紙
１５Ｒ  右側の剥離紙
１６  擬似接着層
１７  折りミシン目（折り予定線，分割予定線）
２０  はがき（所定の情報体）
２１  記入欄
【図１】
2006205608.tif 000003
【図２】
2006205608.tif 000004